(57)【特許請求の範囲】
【請求項１】
ハブ装置に対して伝送路を介してスター状に複数の局装置を接続し、前記ハブ装置が予め定められた順番に従って次の前記局装置に送信権を与えるとともに、ある前記局装置に送信権を与えている間、送信権のない他の全局装置に第１のダミーフレームを送信するスター型データ伝送方法において、
前記ある局装置の送信権終了後で次の前記局装置に送信権を移す前に前記全ての局装置に送信権を与えないために第２のダミーフレームを送信することにより、前記ある局装置の送信終了直前に送信された送信フレームと前記第２のダミーフレームとを衝突させ、前記次の局装置に送信権を移して送信フレームを送信可能とすることを特徴とするスター型データ伝送方法。
【請求項２】
ハブ装置に対して伝送路を介してスター状に複数の局装置を接続し、前記ハブ装置が予め定められた順番に従って順次前記局装置に送信権を与えるとともに、ある前記局装置に送信権を与えている間、送信権のない他の全局装置にダミーフレームを送信するスター型データ伝送方法において、
前記複数の局装置に対して与える送信権の時間長を前記フレーム同士の衝突によってもフレーム再送信可能な所定の時間長に設定し、前記送信権が与えられている局装置から送信権終了直前に送信された送信フレームと次に送信権を持つ局装置から送信された送信フレームとが衝突したとき、前記次の局装置が一定時間を待って前記フレーム再送信可能な所定の時間長の範囲で前記送信フレームを再送信可能にすることを特徴とするスター型データ伝送方法。
【請求項３】
ハブ装置に対して伝送路を介してスター状に複数の局装置を接続し、前記ハブ装置が予め定められた順番に従って順次前記局装置に送信権を与えるとともに、ある前記局装置に送信権を与えている間、送信権のない他の全局装置に第１のダミーフレームを送信するスター型データ伝送装置において、
前記局装置の送信権終了後で次の前記局装置に送信権を移す前に全ての局装置に送信権を与えない時間帯を設定する手段と、
前記送信権を与えている前記局装置の送信権終了後で次の前記局装置に送信権を移す前に前記時間帯を利用して前記全ての局装置に対して第２のダミーフレームを送信する手段と、
前記ある局装置の送信終了直前に送信された送信フレームと前記第２のダミーフレームとを衝突させ、前記次の局装置に送信権を移して送信フレームを送信可能とする手段とを備えたことを特徴とするスター型データ伝送装置。
【請求項４】
ハブ装置に対して伝送路を介してスター状に複数の局装置を接続し、前記ハブ装置が予め定められた順番に従って順次前記局装置に送信権を与えるとともに、ある前記局装置に送信権を与えている間、送信権のない他の全局装置にダミーフレームを送信するスター型データ伝送装置において、
前記複数の局装置に対して与える送信権の時間長をフレーム同士の衝突によるフレーム再送信可能な所定の時間長に設定する手段と、
前記送信権が与えられている局装置から送信権終了直前に送信された送信フレームと次に送信権を持つ局装置から送信された送信フレームとが衝突したとき、前記次の局装置が一定時間を待って前記フレーム再送信可能な所定の時間長の範囲で送信フレームを再送信する手段とを備えたことを特徴とするスター型データ伝送装置。
【発明の詳細な説明】
【技術分野】
【０００１】
本発明は、ハブ（HUB）装置に対して伝送路を介してスター状に複数の局装置を接続し、ある局装置の送信権が終了すると、ハブ装置からダミーフレームを送信して予め定められた順番に従って送信権を次の局装置に移動するスター型データ伝送方法及びその装置に関する。
【背景技術】
【０００２】
現在、ローカルエリアネットワーク（ＬＡＮ）の主流であるIEEE802．3方式［イーサネット（登録商標）］は、ＣＳＭＡ／ＣＤ（Carrier  Sense  Multiple  Access／Collision  Detect）というメディアアクセス制御を行っている。
【０００３】
このＣＳＭＡ／ＣＤは、各局装置が共通伝送路に伝送される信号を監視し、一定時間空きがあれば送信し、空きがなければ空きが出るまで送信を遅らせる。又、このＣＳＭＡ／ＣＤは、フレームの送信中も他局装置とのフレームの衝突がないかを監視し、これらフレーム同士の衝突が起きればフレームの送信を中断し、定められた時間遅れて再度フレームを送信する。
【０００４】
このようなＣＳＭＡ／ＣＤによる動作の場合、伝送路の使用率が高くなってくると、他局装置の各フレーム同士の衝突が頻繁に起きたり、いつまでもフレームの送信ができない状態が発生する。
【０００５】
このような事からＣＳＭＡ／ＣＤは、フレームの伝送にあたってリアルタイム性が要求される用途には向いていない。
【０００６】
これに対し、一定時間内に確実に情報の交換が可能というリアルタイム性を実現し、かつ標準に準拠したＣＳＭＡ／ＣＤ方式の局装置がそのまま使用できる方式が例えば特願平８−５１９８４号「スター型データ伝送装置」に提案されている。
【０００７】
このスター型データ伝送装置は、通常、ダミーフレームを利用して各局装置の送信権を制御し、各フレーム同士の衝突は発生しない。
【発明の開示】
【発明が解決しようとする課題】
【０００８】
しかしながら、上記伝送装置では、送信権を与えられた局装置が送信権終了直前にフレームを送信し、かつ次に送信権を与えられた局装置が直ちにフレームを送信すると、フレーム同士の衝突が発生してしまう。
【０００９】
この場合、次に送信権を与えられた局装置がフレーム衝突後に再度フレームを送信しようとしたとき、さらに次の順番となる局装置に送信権が移動してしまい、先に送信権を与えられた局装置は一定時間内にフレームの送信を行うことが不可能になる虞がある。
【００１０】
そこで、本発明は、送信権終了直前にフレームが送信された場合でも、次に送信権を与えられた局装置は送信権を与えられている時間内にフレームを送信できるスター型データ伝送方法及びその装置を提供することを目的とする。
【課題を解決するための手段】
【００１１】
上記課題を解決するために、請求項１に対応する発明は、ハブ装置に対して伝送路を介してスター状に複数の局装置を接続し、前記ハブ装置が予め定められた順番に従って次の前記局装置に送信権を与えるとともに、ある前記局装置に送信権を与えている間、送信権のない他の全局装置に第１のダミーフレームを送信するスター型データ伝送方法において、
前記ある局装置の送信権終了後で次の前記局装置に送信権を移す前に前記全ての局装置に送信権を与えないために第２のダミーフレームを送信し、前記ある局装置の送信終了直前に送信された送信フレームと前記第２のダミーフレームとを衝突させ、前記次の局装置に送信権を移して送信フレームを送信可能とするスター型データ伝送方法である。
【００１２】
次に、請求項２に対応する発明は、ハブ装置に対して伝送路を介してスター状に複数の局装置を接続し、前記ハブ装置が予め定められた順番に従って順次前記局装置に送信権を与えるとともに、ある前記局装置に送信権を与えている間、送信権のない他の全局装置にダミーフレームを送信するスター型データ伝送方法において、
前記複数の局装置に対して与える送信権の時間長を前記フレーム同士の衝突によってもフレーム送信可能な所定の時間長に設定し、前記送信権が与えられている局装置から送信権終了直前に送信された送信フレームと次に送信権を持つ局装置から送信された送信フレームとが衝突したとき、前記次の局装置が一定時間を待って前記フレーム送信可能な所定の時間長の範囲で前記送信フレームを再送信可能にするスター型データ伝送方法である。
【００１３】
請求項３に対応する発明は、ハブ装置に対して伝送路を介してスター状に複数の局装置を接続し、前記ハブ装置が予め定められた順番に従って順次前記局装置に送信権を与えるとともに、ある前記局装置に送信権を与えている間、送信権のない他の全局装置に第１のダミーフレームを送信するスター型データ伝送装置において、
前記局装置の送信権終了後で次の前記局装置に送信権を移す前に全ての局装置に送信権を与えない時間帯を設定する手段と、前記送信権を与えている前記局装置の送信権終了後で次の前記局装置に送信権を移す前に前記時間帯を利用して前記全ての局装置に対して第２のダミーフレームを送信する手段と、前記ある局装置の送信終了直前に送信された送信フレームと前記第２のダミーフレームとを衝突させ、前記次の局装置に送信権を移して送信フレームを送信可能とする手段とを備えたスター型データ伝送装置である。
【００１４】
請求項４に対応する発明は、ハブ装置に対して伝送路を介してスター状に複数の局装置を接続し、前記ハブ装置が予め定められた順番に従って順次前記局装置に送信権を与えるとともに、ある前記局装置に送信権を与えている間、送信権のない他の全局装置にダミーフレームを送信するスター型データ伝送装置において、
前記複数の局装置に対して与える送信権の時間長を、フレーム同士の衝突によるフレーム再送信可能な所定の時間長に設定する手段と、前記送信権が与えられている局装置から送信権終了直前に送信された送信フレームと次に送信権を持つ局装置から送信された送信フレームとが衝突したとき、前記次の局装置が一定時間を待って前記フレーム再送信可能な所定の時間長の範囲で送信フレームを再送信する手段とを備えたスター型データ伝送装置である。
【発明の効果】
【００１５】
請求項１〜２に係る発明によれば、送信権終了直前にフレームが送信された場合でも、次に送信権を与えられた局装置は送信権を与えられている時間内にフレームを送信できるスター型データ伝送方法を提供できる。
【００１６】
又、請求項３、４に係る発明によれば、送信権終了直前にフレームが送信された場合でも、次に送信権を与えられた局装置は送信権を与えられている時間内にフレームを再送信できるスター型データ伝送装置を提供できる。
【発明を実施するための最良の形態】
【００１７】
以下、本発明の第１の実施の形態について図面を参照して説明する。  
図１はスター型データ伝送装置の構成図である。  
このスター型データ伝送装置は、ハブ装置１に対して、ＣＳＭＡ／ＣＤの方式であるメディアアクセス制御の機能を有する複数の局装置、例えば４つの局装置（Ａ局装置、Ｂ局装置、Ｃ局装置、Ｄ局装置）２〜５がそれぞれ各伝送路（以下、ケーブルと称する）６〜９を介してスター状に接続されている。これらケーブル６〜９は、例えばツイストや光ケーブルが用いられる。
【００１８】
図２はハブ装置１の具体的な構成図である。なお、同図は、図示する関係上ハブ装置１に対して２つの局装置（Ａ局装置、Ｄ局装置）２、５が接続された例を示しており、他のＢ局装置、Ｃ局装置は省略してある。
【００１９】
伝送監視部１０には、周回タイマ部１１及び外部基準クロック部１２が接続されている。このうち周回タイマ部１１は、各局装置２〜５に送信権を与えるための周回時間を計測する機能を有し、外部基準クロック部１２は、基準クロックを発生する機能を有している。
【００２０】
伝送監視部１０は、各局装置２〜５の１つの送信フレーム送信あたりの送信時間や異常状態の監視、切り離し指示、送信権の周回、局装置２、５の優先度などハブ基本機能部１３を通して制御する機能を有している。
【００２１】
なお、送信権を持つ各局装置２〜５の送信許可時間は、周回タイマ部１１の周回時間によって許可される時間と伝送監視部１０によって１つの送信フレーム送信あたりに許可される送信時間と最大フレーム数とによって与えられるものであり、送信権を持つ局装置２〜５ごとに異なる時間である。
ダミー用タイマ部１４は、ダミーフレームの送信時間を計測し、その計測時間をダミー送信制御部１５に送出する機能を有している。
【００２２】
又、このダミー用タイマ部１４は、ある１つの局装置２〜５の送信権終了後で次の局装置に送信権を移動する前に、全ての局装置２〜５に対して送信権を与えない時間帯を設定する。すなわち、全ての局装置２〜５に対してダミーフレームを送信するための所定の時間Ｔ２（図３参照）が設定される。
【００２３】
このようにある局装置２〜５の送信権で次の局装置に送信権を移す前に、全ての局装置２〜５に対してダミーフレームを送信することにより、ある局装置から送信権終了直前に送信されたフレームと次に送信権をもつ局装置から送信されたフレームとの衝突を防いでいる。
【００２４】
ダミー送信制御部１５は、ダミーフレームの送信を統括的に制御する機能を有する。すなわち、ダミー送信制御部１５は、各局装置２〜５のうち送信権を与える１つの局装置にダミーフレームを送信せずに、送信権を与えない他の全ての局装置に対してダミーフレームを送信するためのダミーフレーム制御信号ａを送信禁止部１６、１７に送出する機能を有している。
【００２５】
ダミー発生部１８は、ダミー送信制御部１５からのダミーフレーム制御信号ａを受けて、ダミーフレーム入力信号ｂを発生してハブ基本機能部１３に供給する機能を有している。
【００２６】
このハブ基本機能部１３には、送信データ線２３を介して各送信禁止部１６、１７が接続されている。このうち、送信禁止部１６、１７は、それぞれ各トランシーバ部１９、２０、各ケーブル６〜９を介して各局装置２、５が接続され、ダミー送信制御部１５から出力されたダミーフレーム制御信号ａを受けて特定の局装置２、５、すなわち送信権を与える１つの局装置に対してダミーフレームの送信を禁止する機能を有している。
【００２７】
各トランシーバ部１９、２０は、各局装置２〜５と各ケーブル６、９とをそれぞれ接続する機能を有するもので、これらトランシーバ部１９、２０には、それぞれ受信検出部２１、２２が接続され、さらにこれら受信検出部２１、２２が伝送監視部１０に接続されている。
【００２８】
上記ハブ基本機能部１３は、受信フレームを中継したり再送信したりする機能を有している。すなわち、ハブ基本機能部１３は、受信データ線２４を通して入力される送信フレームを受信した後、当該フレームを送信した局装置を除く他の全ての局装置に送信フレームとして送信データ線２３に送信する機能を有している。
【００２９】
このハブ基本機能部１３は、IEEE802.3の規定に準拠したＣＳＭＡ／ＣＤ方式のハブコントローラを用いており、このＣＳＭＡ／ＣＤ方式のハブコントローラにリアルタイム性を持たせるために、ダミーフレームを用いて特定の１局、すなわち各局装置２〜５のうち１局装置のみに送信権を与える機能を有している。
【００３０】
すなわち、このハブ基本機能部１３は、ダミー発生部１８から出力されるダミーフレーム入力信号ｂを受けると、このダミーフレーム入力信号ｂに基づき送信データ線２３から送信禁止部１６、１７、トランシーバ部１９、２０を通して特定の局装置、すなわち送信権を与える１つの局装置を除いた他の全ての局装置２〜５にダミーフレームを送信する機能を有している。
【００３１】
上記各受信検出部２１、２２は、ハブ基本機能部１３からフレームを送信したときに、ハブ基本機能部１３から送信権を持たない各局装置に送信していたダミーフレームを止めるために、ハブ基本機能部１３から送信したフレームを検出してその受信検出信号ｃを伝送監視部１０に送信し、ダミーフレームの送信を中止させる機能を有している。
【００３２】
次に、上記の如く構成された装置の作用について図３に示す伝送フレームを参照して説明する。  
同図は、ハブ装置１に対して４つの局装置（Ａ、Ｂ，Ｃ，Ｄ局装置）２〜５が接続され、これら局装置２〜５に対し１回の送信権において１つの送信フレームの送信を許可した場合の伝送フレームを示している。
【００３３】
送信権は、Ａ局装置２から順番にＢ局装置３、Ｃ局装置４、Ｄ局装置５の順序で周回し、優先度は設けられていない。又、時間経過は図上左側から右側に向かって進むものとする。
【００３４】
先ず、送信権がＡ局装置２に与えられた場合、ダミー用タイマ部１４は、ダミー送信制御部１５からダミーフレーム制御信号ａを送出したタイミングに基づき、ダミーフレームの送信時間を計測してその計測時間をダミー送信制御部１５に送出する。
【００３５】
このダミー送信制御部１５は、各局装置２〜５のうち送信権を与えるＡ局装置２にダミーフレームを送信せずに、送信権を与えない他の全てのＢ、Ｃ、Ｄ局装置３〜５に対してダミーフレームを送信するためのダミーフレーム制御信号ａを送信禁止部１６，１７及びダミー発生部１８に送出する。
【００３６】
このダミー発生部１８は、ダミー送信制御部１５からのダミーフレーム制御信号ａを受けると、ダミーフレーム入力信号ｂを発生してハブ基本機能部１３に供給する。
【００３７】
このハブ基本機能部１３は、ダミー発生部１８から入力されるダミーフレーム入力信号ｂに基づき、送信データ線２３から送信禁止部１７、トランシーバ部２０を通して特定の局装置、すなわち送信権を与えるＡ局装置２を除いた他の全てのＢ、Ｃ、Ｄ局装置３〜５にダミーフレームＤＦを送信する。Ｂ、Ｃ、Ｄ局装置３〜５は、ケーブル長による時間差をもってダミーフレームを受信する。
ここで、ハブ基本機能部１３は、Ａ局装置２が送信フレームを送信しなければ、このフレームを送信しない間、ダミーフレームＤＦの送信が継続される。そして、ダミー用タイマ部１４によって定められた時間Ｔ１ａが経過し、Ａ局装置２の送信権終了後で次のＢ局装置３に送信権を移動する前になると、ダミー用タイマ部１４は、全てのＡ〜Ｄ局装置２〜５に対してダミーフレームを送信するための所定の時間Ｔ２をダミー送信制御部１５に渡す。
【００３８】
このダミー送信制御部１５は、ダミー用タイマ部１４からのダミーフレームを送信する所定の時間Ｔ２を受けると、全ての局装置２〜５に対してダミーフレームを送信するためのダミーフレーム制御信号ａを送信禁止部１６、１７及びダミー発生部１８に送出する。
【００３９】
このダミー発生部１８は、ダミー送信制御部１５からのダミーフレーム制御信号ａを受けて、ダミーフレーム入力信号ｂを発生してハブ基本機能部１３に供給する。
【００４０】
これにより、ハブ基本機能部１３は、ダミー発生部１８から入力されるダミーフレーム入力信号ｂに基づき、送信データ線２３から送信禁止部１６、１７、トランシーバ部１９、２０を通して全ての局装置２〜５にダミーフレームＦｘを送信する。
【００４１】
この後、ダミー送信制御部１５は、次に送信権を与えるＢ局装置２にダミーフレームを送信せずに、送信権を与えない他の全てのＡ、Ｃ、Ｄ局装置２、４、５に対してダミーフレームを送信するためのダミーフレーム制御信号ａを送信禁止部１６，１７及びダミー発生部１８に送出する。
【００４２】
ハブ基本機能部１３は、ダミーフレーム制御信号ａを受けてダミー発生部１８から入力されるダミーフレーム入力信号ｂに基づき、送信データ線２３から送信禁止部１６、１７、トランシーバ部１９、２０を通して送信権を与えるＢ局装置３を除いた他の全てのＡ、Ｃ、Ｄ局装置２、４、５にダミーフレームＤＦを送信することにより、送信権をＢ局装置３に移動する。
【００４３】
なお、ハブ装置１としては、インターフレーム間隔Ｔ０を空けた後にダミーフレームＤＦを送信するが、インターフレーム間隔Ｔ０は、ＣＳＭＡ／ＣＤ方式のインターフレーム間隔以上空けてはいけない。
【００４４】
送信権がＢ局装置３に移動すると、このＢ局装置３には送信データがあるので、このＢ局装置３は、ＣＳＭＡ／ＣＤ方式のインターフレーム間隔Ｔ０以上空けてから送信フレームＴＦをハブ装置１に送信する。
【００４５】
ハブ基本機能部１３では、Ｂ局装置３からの送信フレームＴＦをケーブル長による時間差をもって受信検出部２１、２２で検出すると、伝送監視部１０の動作によりダミーフレームＤＦの送信を直ちに中止させ（図示（イ）参照）、送信フレームＴＦを送信権を持たないＡ、Ｃ、Ｄ局装置２、４、５に送信する。Ａ、Ｃ、Ｄ局装置２、４、５は時間差をもって送信フレームＴＦを受信する（図示白枠ＴＦ´参照）。
そして、ダミー用タイマ部１４によって定められた時間Ｔ１ａ（図示せず）が経過し、Ｂ局装置３の送信権終了後で次のＣ局装置４に送信権を移動する前に、上記同様にダミー用タイマ部１４は、全ての局装置２〜５に対してダミーフレームを送信する所定の時間をダミー送信制御部１５に渡すので、所定の時間Ｔ２だけ全ての局装置２〜５に対してダミーフレームＦｘが送信される。
【００４６】
この後、送信権が次のＣ局装置４に移動する。ハブ装置１は上記同様にインターフレーム間隔Ｔ０を空けた後にダミーフレームＤＦを送信する。
ここで、この送信権を得たＣ局装置４が送信権終了直前にフレームＴＦを送信すると、伝送監視部１０は、Ｃ局装置４からフレームＴＦが到着する前に、このＣ局装置４の送信権を終了させる。
【００４７】
これと共に、ダミー用タイマ部１４は、上記同様に、全てのＡ〜Ｄ局装置２〜５に対してダミーフレームを送信する所定の時間Ｔ２をダミー送信制御部１５に渡すので、所定の時間Ｔ２だけＣ局装置４を含めて全ての局装置２〜５に対してダミーフレームＦｘが送信される。
【００４８】
このようにＣ局装置４の送信権終了後で次のＤ局装置５に送信権を移動する前になると、全ての局装置２〜５に対してダミーフレームＦｘが送信されるので、このダミーフレームＦｘとＣ局装置４から送信されたフレームＴＦとの衝突が発生するが、送信権を持つＣ局装置４の送信フレームと送信権を移動した直後にＤ局装置５から送信される送信フレームとの衝突は発生しない。
【００４９】
なお、このＣ局装置４は、ハブ装置１を介してフレームＴＦ、Ｆｘの衝突を検出すると、送信されたフレームＴＦの再送信をあきらめ、次に送信権を得たときに衝突された送信フレームＴＦを再送信する。
【００５０】
この衝突終了後、送信権はＤ局装置５に移動する。そして、Ｄ局装置５の送信権が終了すると、再び送信権はＡ局装置２に移動し、送信権がＡ〜Ｄ局装置２〜５間に周回する。
【００５１】
このように上記第１の実施の形態においては、ダミー用タイマ部１４に、ある局装置２〜５の送信終了後で次の局装置に送信権を移す前に、全ての局装置２〜５に対してダミーフレームを送信する所定の時間Ｔ２を設定し、そのときに全ての局装置２〜５に対してダミーフレームＦｘを送信するので、例えばＣ局装置４から送信権終了直前に送信されたフレームと次に送信権を持つＤ局装置５から送信されたフレームとが衝突することがなくなり、次に送信権を持つＤ局装置５は、送信権を得てからフレームを送信することができる。
【００５２】
次に、本発明の第２の実施の形態について説明する。  
この第２の実施の形態は、上記第１の実施の形態で説明した図１及び図２に示す構成と同一であり、その異なるところはダミーフレームの制御方法にある。
【００５３】
図２に示す構成のスター型データ伝送装置のハブ装置１を用いて説明すると、ダミー用タイマ部１４には、各局装置２〜５に対して送信権の時間長を、フレーム同士の衝突による再送信が可能な時間長にして設定されている。
【００５４】
具体的には、各局装置２〜５に与える送信権の長さをIEEE802.3に定められた衝突による再送信可能な時間Ｔ４に設定されている。
【００５５】
従って、ハブ装置１は、ダミー用タイマ部１４により各局装置２〜５に対して与える送信権の時間長をフレームの再送信可能な所定の時間長に設定することから、送信権を移す次の局装置に対してフレームの送信を一定時間待たせる機能を有するものとなる。
【００５６】
次に、上記の如く構成された装置の作用について図４に示す伝送フレームを参照して説明する。  
先ず、送信権がＡ局装置２に与えられた場合、ダミー用タイマ部１４は、ダミーフレームの送信時間を計測してその計測時間をダミー送信制御部１５に送出する。
【００５７】
このダミー送信制御部１５は、各局装置２〜５のうち送信権を与えるＡ局装置２にダミーフレームを送信せずに、送信権を与えない他の全てのＢ、Ｃ、Ｄ局装置３〜５に対してダミーフレームを送信するためのダミーフレーム制御信号ａを送信禁止部１６、１７及びダミー発生部１８に送出する。
【００５８】
ダミー発生部１８は、ダミー送信制御部１５からのダミーフレーム制御信号ａを受けると、ダミーフレーム入力信号ｂを発生してハブ基本機能部１３に供給する。
【００５９】
このハブ基本機能部１３は、ダミー発生部１８からのダミーフレーム入力信号ｂに基づき、送信データ線２３から送信禁止部１７、トランシーバ部２０を通して特定の局装置、すなわち送信権を与えるＡ局装置２を除いた他の全てのＢ、Ｃ、Ｄ局装置３〜５にダミーフレームＤＦを送信する。
【００６０】
Ａ局装置２が送信権が与えられているにも拘らず送信フレームを送信しない間、上記同様にハブ基本機能部１３からはダミーフレームＤＦの送信が継続される。なお、このとき、Ａ局装置２に対して与える送信権の時間長は、ダミー用タイマ部１４に設定されているフレーム同士の衝突による再送信可能な時間長Ｔ４まで延長させることが可能である。
【００６１】
そして、ダミー用タイマ部１４によって計測された時間Ｔ３が経過すると、ハブ基本機能部１３からのダミーフレームＤＦの送信が終了し、送信権を次のＢ局装置３に移動する。
【００６２】
すなわち、ハブ基本機能部１３は、ダミー発生部１８から入力されるダミーフレーム入力信号ｂに基づき、送信データ線２３から送信禁止部１７、トランシーバ部２０を通して送信権を与えるＢ局装置３を除いた他の全てのＡ、Ｃ、Ｄ局装置２、４、５にダミーフレームＤＦを送信することにより、送信権をＢ局装置３に移動する。
【００６３】
ここで、ハブ装置１は、インターフレーム間隔Ｔ０を空けた後にダミーフレームＤＦを送信するが、インターフレーム間隔Ｔ０は、ＣＳＭＡ／ＣＤ方式のインターフレーム間隔
以上空けてはいけない。
【００６４】
Ａ、Ｃ、Ｄ局装置２、４、５は、ハブ装置１を介してケーブル長による時間差をもってダミーフレームＤＦを受信する。
送信権がＢ局装置３に移動すると、このＢ局装置３には送信データがあるので、このＢ局装置３は、ＣＳＭＡ／ＣＤ方式のインターフレーム間隔Ｔ０以上空けてから送信フレームＴＦをハブ基本機能部１３に送信する。
【００６５】
ハブ基本機能部１３では、Ｂ局装置３からの送信フレームＴＦをケーブル長による時間差をもって受信検出部２１、２２で検出すると、伝送監視部１０の動作によりダミーフレームＤＦの送信を直ちに中止させ（図示（イ）参照）、送信フレームＴＦを送信権を持たないＡ、Ｃ、Ｄ局装置２、４、５に送信する。Ａ、Ｃ、Ｄ局装置２、４、５は時間差をもって送信フレームＴＦを受信する（図示白枠ＴＦ´参照）。
この送信フレームＴＦの送信後、送信権が次のＣ局装置４に移動する。ハブ装置１は、上記同様にインターフレーム間隔Ｔ０を空けた後にダミーフレームＤＦを送信する。
ここで、この送信権を得たＣ局装置４が送信権終了直前にフレームＴＦを送信すると、このとき既に伝送監視部１０は、Ｃ局装置４からフレームＴＦが到着する前に、このＣ局装置４の送信権をＤ局装置５に移動させている。
【００６６】
このような場合、上記の如くダミータイマ部１４には、各局装置２〜５に対して与える送信権の時間長を、フレーム同士の衝突による再送信が可能な時間長Ｔ４に設定しているので、ハブ基本機能部１３からは、この時間長Ｔ４だけ送信権を与えるＣ局装置４を除いた他の全てのＡ、Ｂ、Ｄ局装置２、３、５にダミーフレームＤＦが送信される。
【００６７】
これによりＣ局装置４は、送信フレームＴＦを送信する。
【００６８】
このとき、送信権がＤ局装置５に移動しているので、Ｄ局装置５は、送信データがある場合に送信フレームＴＦを送信すると、フレーム同士の衝突が発生する。ここで、Ｃ局装置４は送信されたフレームＴＦの再送信をあきらめ、次に送信権を得たときに衝突された送信フレームＴＦを送信する。
一方、Ｄ局装置５は、一定時間Ｔ５を待った後、既に送信権を得ているので、ダミー用タイマ部１４に設定されているフレーム同士の衝突による再送信可能な時間長Ｔ４の範囲でフレームＴＦを再送信する。そして、Ｄ局装置５の送信権が終了すると、再び送信権はＡ局装置２に移動し、送信権がＡ〜Ｄ局装置２〜５間に周回する。
【００６９】
このように上記第２の実施の形態においては、ダミー用タイマ部１４に各局装置２〜５に対して与える送信権の時間長を、フレーム同士の衝突による再送信可能な時間長に設定したので、例えばＣ局装置４から送信権終了直前に送信されたフレームと次に送信権を持つＤ局装置５から送信されたフレームとが衝突するが、Ｃ局装置４は次の周期の送信権得たときに衝突したフレームＴＦを送信でき、またＤ局装置５は衝突と同時に送信を停止し、一定時間Ｔ５を待って再度フレームを再送信できる。
【００７０】
さらに、本発明の第３の実施の形態について説明する。なお、図１及び図２と同一部分には同一符号を付してその詳しい説明は省略する。
【００７１】
図５はスター型データ伝送装置のハブ装置の具体的な構成図である。  
このスター型データ伝送装置は、上記第１の実施の形態に対し、ある局装置２〜５の送信終了と同時に、送信権の与えられていた局装置の送信側ケーブル６、９から切り離するもので、ある局装置２〜５の送信権終了と同時にゲート制御信号ｄを送出するゲート制御部３０と、このゲート制御部３０から送出されたゲート制御信号ｄを受けて各局装置２〜５との受信側のラインを切り離す受信禁止部３１、３２とを追加した構成となっている。
【００７２】
すなわち、ある局装置の送信権終了と同時にゲート制御部３０からゲート制御信号ｄを各受信禁止部３１，３２に送信し、各局装置２〜５からのフレームを受信禁止部３１、３２で停止させ、ハブ基本機能部１３に伝達しないものとなっている。
【００７３】
次に、上記の如く構成された装置の作用について図６に示す伝送フレームを参照して説明する。  
先ず、送信権がＡ局装置２に与えられた場合、上記実施の形態と同様に、ハブ基本機能部１３からは、ダミー発生部１８から入力されるダミーフレーム入力信号ｂに基づき、送信データ線２３から送信禁止部１７、トランシーバ部２０を通して特定の局装置、すなわち送信権を与えるＡ局装置２を除いた他の全てのＢ、Ｃ、Ｄ局装置３〜５にダミーフレームＤＦを送信する。
【００７４】
Ａ局装置２が送信フレームを送信しない間、ハブ基本機能部１３からはダミーフレームＤＦの送信が継続され、ダミー用タイマ部１４によって定められた時間Ｔ３が経過すると、ハブ基本機能部１３からのダミーフレームＤＦの送信が終了し、送信権を次のＢ局装置３に移動する。
【００７５】
次に、インターフレーム間隔Ｔ０を空けた後にダミーフレームＤＦが送信されるが、インターフレーム間隔Ｔ０は、ＣＳＭＡ／ＣＤ方式のインターフレーム間隔以上空けてはいけない。
【００７６】
送信権がＢ局装置３に移動すると、このＢ局装置３には送信データがあるので、このＢ局装置３は、ＣＳＭＡ／ＣＤ方式のインターフレーム間隔Ｔ０以上空けてから送信フレームＴＦをハブ基本機能部１３に送信する。
【００７７】
このハブ基本機能部１３では、Ｂ局装置３からの送信フレームＴＦを受信禁止部２１，２２で検出すると、伝送監視部１０の動作によりダミーフレームＤＦの送信を直ちに中止させ（図示（イ）参照）、送信フレームＴＦを送信権を持たない各局装置２、４、５に送信する。Ａ、Ｃ、Ｄ局装置２、４、５は時間差をもって送信フレームＴＦを受信する（図示白枠ＴＦ´参照）。
この送信フレームＴＦの送信後、送信権が次のＣ局装置４に移動する。
【００７８】
ここで、この送信権を得たＣ局装置４が送信権終了直前にフレームＴＦを送信した場合、ゲート制御部３０は、伝送監視部１０からの指令によりＣ局装置４の送信権終了と同時にゲート制御信号ｄを受信禁止部３１、３２に送信する。
【００７９】
これら受信禁止部３１、３２は、ゲート制御部３０から送出されたゲート制御信号ｄを受けて各局装置２〜５との受信側のラインを切り離すので、Ｃ局装置４から送信権終了直前に送信したフレームＴＦは、ハブ基本機能部１３に到達しない。
【００８０】
これによりＤ局装置５は、送信権の獲得の後直ちにフレームＴＦの送信が可能になる。
【００８１】
そして、Ｄ局装置５の送信権が終了すると、再び送信権はＡ局装置２に移動し、送信権がＡ〜Ｄ局装置２〜５間に周回する。
【００８２】
このように上記第３の実施の形態においては、ある局装置２〜５の送信権終了と同時に、送信権の与えられていた局装置の送信側ケーブル６、９から切り離すようにしたので、例えばＣ局装置４から送信権終了直前に送信されたフレームと次に送信権を持つＤ局装置５から送信されたフレームとが衝突することがなくなり、Ｄ局装置５は送信権獲得の直後にフレームＴＦを送信することが可能となる。
【図面の簡単な説明】
【００８３】
【図１】本発明に係るスター型データ伝送装置の第１の実施の形態を示す構成図。
【図２】同伝送装置におけるハブ装置の具体的な構成図。
【図３】同伝送装置の伝送フレームの一例を示す図。
【図４】本発明に係るスター型データ伝送装置の第２の実施の形態の伝送フレームの一例を示す図。
【図５】本発明に係るスター型データ伝送装置の第３の実施の形態のハブ装置の具体的な構成図。
【図６】同伝送装置の伝送フレームの一例を示す図。
【符号の説明】
【００８４】
１…ハブ装置、２〜５…局装置、６〜９…伝送路（ケーブル）、１０…伝送監視部、１１…周回タイマ部、１２…外部基準クロック部、１３…ハブ基本機能部、１４…ダミー用タイマ部、１５…ダミー送信制御部、１６、１７…送信禁止部、１８…ダミー発生部、１９、２０…トランシーバ部、２１、２２…受信検出部、３０…ゲート制御部、３１、３２…受信禁止部。
【図１】
0003756165.tif 000002
【図２】
0003756165.tif 000003
【図３】
0003756165.tif 000004
【図４】
0003756165.tif 000005
【図５】
0003756165.tif 000006
【図６】
0003756165.tif 000007